(57)【要約】【課題】  画像の非表示領域である表示部の縁部に設けられた検出部による検出結果を有効に活用することができる表示装置を提供する。【解決手段】  画像を表示する表示部１８と、前記表示部の縁部２２に配置され、アクセサリ６及び自装置の構成部材のうちの少なくとも一方と接触した場合に、前記アクセサリの種類または前記構成部材の種類を検出する検出部２４と、前記検出部により検出された前記アクセサリの種類または前記構成部材の種類に応じて前記表示部の表示制御を行う表示制御部とを備える。【選択図】  図１
2013120997.tif 000002
【特許請求の範囲】
【請求項１】
画像を表示する表示部と、
前記表示部の縁部に配置され、アクセサリ及び自装置の構成部材のうちの少なくとも一方と接触した場合に、前記アクセサリの種類または前記構成部材の種類を検出する検出部と、
前記検出部により検出された前記アクセサリの種類または前記構成部材の種類に応じて前記表示部の表示制御を行う表示制御部と
を備えることを特徴とする表示装置。
【請求項２】
前記表示部の縁部は、画像を表示しない非表示領域であることを特徴とする請求項１に記載の表示装置。
【請求項３】
前記検出部は、前記縁部に配置された静電容量方式のタッチパネルを備えることを特徴とする請求項１または２に記載の表示装置。
【請求項４】
前記検出部は、前記アクセサリの種類または前記構成部材の種類を示す接触部のパターンを読み取ることにより前記アクセサリの種類または前記構成部材の種類を検出することを特徴とする請求項１〜３の何れか一項に記載の表示装置。
【請求項５】
画像を表示する表示部と、
前記表示部の縁部に配置され、アクセサリと接触した場合に、前記アクセサリの種類を検出するアクセサリ検出部と、
被写体を撮像する撮像部と、
前記アクセサリ検出部により検出された前記アクセサリの種類に応じて前記表示部の表示制御及び前記撮像部による撮影条件の制御のうちの少なくとも一方を行う制御部と
を備えるカメラと、
前記表示部に対向して配置され、前記アクセサリ検出部に接触する接触部を備えるアクセサリと
を備えることを特徴とするカメラシステム。
【請求項６】
前記表示部の縁部は、画像を表示しない非表示領域であることを特徴とする請求項５に記載の表示装置。
【請求項７】
前記アクセサリ検出部は、前記縁部に配置されたタッチパネルを備えることを特徴とする請求項５または６に記載のカメラシステム。
【請求項８】
前記接触部は、前記アクセサリの種類を示すパターンを有する接触部であり、
前記アクセサリ検出部は、前記パターンを読み取ることにより前記アクセサリの種類を検出することを特徴とする請求項５〜７の何れか一項に記載のカメラシステム。
【請求項９】
前記表示部に積層して配置されたタッチパネルを備え、
前記アクセサリの種類に応じて前記タッチパネルの検出感度を変更することを特徴とする請求項５〜８の何れか一項に記載のカメラシステム。
【請求項１０】
前記表示部の縁部に配置された前記タッチパネルと、前記表示部に積層して配置されたタッチパネルとは、一体に形成されていることを特徴とする請求項９に記載のカメラシステム。
【請求項１１】
前記アクセサリの種類が、液晶カバーであり、前記液晶カバーの蓋が前記表示部を覆っている場合には、
前記制御部は、前記表示部における表示を停止することを特徴とする請求項５〜１０の何れか一項に記載のカメラシステム。
【請求項１２】
前記アクセサリの種類が、液晶フードであり、液晶フードに液晶フードルーペが装着されている場合には、
前記制御部は、前記表示部における表示領域を変更することを特徴とする請求項５〜１０の何れか一項に記載のカメラシステム。
【請求項１３】
前記アクセサリの種類が、レインカバーである場合には、
前記制御部は、前記表示部の輝度を変更し、前記撮像部による前記撮影条件を変更することを特徴とする請求項５〜１０の何れか一項に記載のカメラシステム。
【発明の詳細な説明】
【技術分野】
【０００１】
本発明は、表示装置及びカメラシステムに関するものである。
【背景技術】
【０００２】
表示部にタッチパネルを配置したカメラが知られている（例えば、特許文献１参照）。このカメラにおいては、タッチパネルに対する押圧の強さに応じてオートフォーカス等の撮影準備動作または撮影動作を行っている。
【先行技術文献】
【特許文献】
【０００３】
【特許文献１】特開平１１−３５５６１７号公報
【発明の概要】
【発明が解決しようとする課題】
【０００４】
しかし、このカメラのタッチパネルは、画像が表示される表示部の表示領域における使用者の指等を用いた入力操作を検出対象としており、検出対象が限られていた。
【０００５】
本発明の目的は、画像の非表示領域である表示部の縁部に設けられた検出部による検出結果を有効に活用することができる表示装置及びカメラシステムを提供することである。
【課題を解決するための手段】
【０００６】
本発明に係る表示装置は、画像を表示する表示部と、前記表示部の縁部に配置され、アクセサリ及び自装置の構成部材のうちの少なくとも一方と接触した場合に、前記アクセサリの種類または前記構成部材の種類を検出する検出部と、前記検出部により検出された前記アクセサリの種類または前記構成部材の種類に応じて前記表示部の表示制御を行う表示制御部とを備えることを特徴とする。
【０００７】
また、本発明に係るカメラシステムは、画像を表示する表示部と、前記表示部の縁部に配置され、アクセサリと接触した場合に、前記アクセサリの種類を検出するアクセサリ検出部と、被写体を撮像する撮像部と、前記アクセサリ検出部により検出された前記アクセサリの種類に応じて前記表示部の表示制御及び前記撮像部による撮影条件の制御のうちの少なくとも一方を行う制御部とを備えるカメラと、前記表示部に対向して配置され、前記アクセサリ検出部に接触する接触部を備えるアクセサリとを備えることを特徴とする。
【発明の効果】
【０００８】
本発明に係る表示装置及びカメラシステムによれば、画像の非表示領域である表示部の縁部に設けられた検出部による検出結果を有効に活用することができる。
【図面の簡単な説明】
【０００９】
【図１】本発明の第１の実施の形態に係るカメラ及び液晶カバーをカメラの背面側から視た斜視図である。
【図２】本発明の第１の実施の形態に係るカメラ及び液晶カバーをカメラの側面側から視た斜視図である。
【図３】本発明の第１の実施の形態に係るカメラ、液晶フード及び液晶フードルーペをカメラの前面側から視た斜視図である。
【図４】本発明の第１の実施の形態に係るカメラ、液晶フード及び液晶フードルーペをカメラの背面側から視た斜視図である。
【図５】本発明の第１の実施の形態に係るカメラのシステム構成を示すブロック図である。
【図６】本発明の第１の実施の形態に係るカメラの処理を示すフローチャートである。
【図７】本発明の第１の実施の形態に係るカメラに液晶カバーが装着された場合の処理を示すフローチャートである。
【図８】本発明の第１の実施の形態に係るカメラに液晶カバーを装着した場合のカメラの背面側から視た斜視図である。
【図９】本発明の第１の実施の形態に係るカメラに液晶カバーを装着した場合のカメラの背面側から視た斜視図である。
【図１０】本発明の第１の実施の形態に係るカメラに液晶フードが装着された場合の処理を示すフローチャートである。
【図１１】本発明の第１の実施の形態に係るタッチパネル機構を説明する図である。
【図１２】本発明の第１の実施の形態に係るタッチパネル機構を説明する図である。
【図１３】本発明の第１の実施の形態に係るカメラに液晶フードを装着した場合のカメラの背面側から視た斜視図である。
【図１４】本発明の第１の実施の形態に係るカメラに液晶フード及び液晶フードルーペを装着した場合のカメラの背面側から視た斜視図である。
【図１５】本発明の第１の実施の形態に係るカメラにレインカバーが装着された場合の処理を示すフローチャートである。
【図１６】本発明の第２の実施の形態に係るカメラを背面側から視た斜視図である。
【図１７】本発明の第２の実施の形態に係るカメラを背面側から視た斜視図である。
【図１８】本発明の第２の実施の形態に係るカメラの処理を示すフローチャートである。
【発明を実施するための形態】
【００１０】
以下、図面を参照して本発明の第１実施の形態に係るカメラシステムについて説明する。図１及び図２は第１の実施の形態に係るカメラシステムにおいて、アクセサリとして液晶カバーを用いる場合の図であり、図１は、第１の実施の形態に係るカメラ及び液晶カバーをカメラの背面側から視た斜視図である。また、図２は、第１の実施の形態に係るカメラ及び液晶カバーをカメラの側面側から視た斜視図である。
【００１１】
図１に示すようにカメラシステム２は、カメラ４及び液晶カバー６を備えている。カメラ４の前面には、撮影レンズ１０が設けられ、カメラ４の上部には、レリーズ動作を指示するレリーズボタン１２が設けられている。ここで、撮影レンズ１０は、カメラ２に固定されているものでもよいし、交換式の撮影レンズであってもよい。また、カメラ４の背面には、被写体を観察するファインダ１４、操作部１６、ＬＣＤ等により構成され撮影画像の表示、再生及び撮像条件等を表示する表示部１８、カメラ４の背面の照度を測定する照度センサ２０が設けられている。また、表示部１８の外縁には画像の非表示領域である外縁部２２が設けられ、表示部１８に積層して配置される静電容量方式のタッチパネル２４が外縁部２２にも配置されている。ここで、表示部１８に配置されているタッチパネルと、外縁部２２に配置されるタッチパネルとは一体に形成されている。なお、表示部１８に表示される画像は、照度センサ２０により測定された照度に応じた輝度で表示される。また、静電容量方式のタッチパネル２４は、タッチパネルへの接触を検出する検出領域のうち複数箇所への接触を同時に判別することができるマルチタッチ対応のタッチパネルである。
【００１２】
また、液晶カバー６は、カメラ４の表示部１８に対向して脱着可能に配置することができるように構成され、液晶カバー枠２６及び液晶カバー蓋２８を備えている。ここで、液晶カバー枠２６に対して液晶カバー蓋２８は、液晶カバー６がカメラ４に装着された場合に外部から表示部１８が視認可能となる開状態と、表示部１８が覆われた閉状態との間を回動可能に取り付けられている。また、液晶カバー蓋２８には、液晶カバー６がカメラ４に装着され閉状態となった場合に、液晶カバー蓋２８と外縁部２２とが接触しているか否かをカメラ４が判別できるよう液晶カバー蓋接触部３０が設けられている。液晶カバー蓋接触部３０は、例えば、導電性を有するゴムにより構成される。
【００１３】
また、図２に示すように液晶カバー枠２６には、液晶カバー６がカメラ４に装着された場合に外縁部２２と接触する液晶カバー枠接触部３２が設けられている。液晶カバー枠接触部３２は、例えば、導電性を有するゴムにより構成される。なお、液晶カバー枠接触部３２はアクセサリの種類が液晶カバー６であることを示す液晶カバー枠２６上に固有の配置パターンを有している。
【００１４】
また、図３及び図４は第１の実施の形態に係るカメラシステムにおいて、アクセサリとして液晶フード及び液晶フードルーペを用いる場合の図であり、図３は、第１の実施の形態に係るカメラ、液晶フード及び液晶フードルーペをカメラの前面側から視た斜視図である。また、図４は、第１の実施の形態に係るカメラ、液晶フード及び液晶フードルーペをカメラの背面側から視た斜視図である。
【００１５】
図３及び図４に示すように、カメラシステム３４は、カメラ２、液晶フード３６及び液晶フードルーペ３８を備えている。なお、図３及び図４に示すカメラ２の構成は図１及び図２に示すものと同一であるため、詳細な説明は省略する。
【００１６】
液晶フード３６は、カメラ４の表示部１８に対向して脱着可能に配置することができるように構成され、液晶カバー枠４７、液晶フードファインダ４０、液晶フードタッチボタン４２、液晶フード接触部４４、液晶フードルーペ取付接触部４６を備えている。液晶フードファインダ４０は、液晶フード３６がカメラ４に装着された場合に液晶フードファインダ４０を介して表示部１８を観察することができるように構成されている。また、液晶フードタッチボタン４２は、液晶フード３６がカメラ４に装着された場合に外縁部２２に接触し液晶フード３６を介して表示部１８に表示されたアイコンの選択操作等ができるように構成されている。また、液晶フード接触部４４は、液晶フード３６がカメラ４に装着された場合に外縁部２２と接触する導電性を有するゴムにより構成され、アクセサリの種類が液晶フード３６であることを示す固有の配置パターンを液晶カバー枠４７上に有している。即ち、上述の液晶カバー６の液晶カバー枠接触部３２と、液晶フード６の液晶フード接触部４４とは、それぞれ異なる固有の配置パターンを有している。
【００１７】
また、液晶フードルーペ取付接触部４６は、液晶フード３６がカメラ４に装着された場合に外縁部２２と接触する導電性を有するゴムにより構成され、液晶フード３６に液晶フードルーペ３８が装着されているか否かの情報を液晶フードルーペ取付接触部４６及び外縁部２２を介してカメラ４に送信することができる。
【００１８】
また、液晶フードルーペ３８は液晶フード３６に着脱可能に構成され、液晶フードルーペ３８が液晶フード３６に装着され、かつ、液晶フード３６がカメラ４に装着された場合に液晶ルーペファインダ４８を介して表示部１８の中心部分を拡大して観察することができるように構成されている。
【００１９】
なお、カメラ４には、図示しないレインカバーを装着してもよい。このレインカバーは、カメラ４の表示部１８に対向して着脱可能に配置できるように構成されている。また、レインカバーは、レインカバーであることを示す固有の配置パターンを有するレインカバー接触部を備え、レインカバー接触部は、レインカバーがカメラ４に装着された場合に外縁部２２と接触する導電性を有するゴムにより構成されている。
【００２０】
図５は、第１の実施の形態に係るカメラのシステム構成を示すブロック図である。カメラ２はＣＰＵ５０を備え、ＣＰＵ５０には、ＣＣＤ或いはＣＭＯＳ等により構成され、撮影レンズ１０を介した被写体光を撮像して撮像信号を生成する撮像素子５２、撮影レンズ１０及び撮像素子５２を駆動する撮影制御部５４、撮像素子５２から出力された撮像信号を図示しないＡ／Ｄ変換部においてＡ／Ｄ変換することにより生成された画像データを記憶する画像記憶部５６、撮像素子６から出力される撮像信号に基づく画像データに、ホワイトバランス調整、輪郭補償、ガンマ補正等の画像処理を行う画像処理部５８、アクセサリの接触部が有するアクセサリの種類を示す配置パターンを記憶する内部メモリ５９、図示しないカードスロットに着脱可能に構成され撮影画像データや種々のデータを記録するメモリカード６０、表示部１８の表示制御を行う表示制御部６２、表示部１８及び上述の外縁部２２に配置されるタッチパネル２４、レリーズボタン１２、操作部１６、照度センサ２０が接続されている。
【００２１】
次に、図６に示すフローチャートを参照して第１の実施の形態に係るカメラの処理について説明する。図示しない電源スイッチが操作されカメラ２の電源がオンにされると、ＣＰＵ５０は、表示制御部６２を制御して表示部１８における表示を開始させ、タッチパネル２４による接触の検出を開始させ、照度センサ２０による照度の測定を開始させる。
【００２２】
そして、ＣＰＵ５０はカメラ４にアクセサリ（例えば、液晶カバー６、液晶フード３６、レインカバー）が装着されているか否かを判断する（ステップＳ１）。ここで、本実施の形態においてカメラ４に装着されるアクセサリは外縁部２２に接触する接触部（液晶カバー枠接触部３２、液晶フード接触部４４、レインカバー接触部）を有している。従って、ＣＰＵ５０は、タッチパネル２４の検出領域うち外縁部２２の領域にアクセサリの接触部が接触しているか否かを判断する。
【００２３】
外縁部２２の領域にアクセサリの接触部が接触している場合には、ＣＰＵ５０はカメラ４にアクセサリが装着されていると判断し、アクセサリの種類を判断する（ステップＳ２）。
【００２４】
即ち、上述のようにアクセサリの接触部はアクセサリの種類を示す固有の配置パターンを有するため、ＣＰＵ５０は、タッチパネル２４を介して読み取ったアクセサリの接触部の配置パターンと、内部メモリ５９に記憶されている配置パターンとを照合し、アクセサリの種類を特定する。
【００２５】
アクセサリの種類が液晶カバー６であると判断すると、ＣＰＵ５０は図７のフローチャートに示す液晶カバー６装着時の処理を行う（ステップＳ３）。また、アクセサリの種類が液晶フード３６であると判断すると、ＣＰＵ５０は図１０のフローチャートに示す液晶フード３６装着時の処理を行い（ステップＳ４）、アクセサリの種類がレインカバーであると判断すると、ＣＰＵ５０は図１５のフローチャートに示すレインカバー装着時の処理を行う（ステップＳ５）。
【００２６】
ステップＳ３〜Ｓ５の何れかに示す処理を行うと、ＣＰＵ５０はアクセサリが取り外されたか否かを判断する（ステップＳ６）。即ち、ＣＰＵ５０は、タッチパネル２４の検出領域うち、外縁部２２の領域にアクセサリの接触部が接触しているか否かを判断する。
【００２７】
アクセサリの接触部が接触している場合には、アクセサリが取り外されていないと判断し、ステップＳ６に示す処理を繰り返す。一方、アクセサリの接触部が接触していない場合には、アクセサリが取り外されたと判断し、図６のフローチャートに示す処理を終了する。
【００２８】
なお、ステップＳ１においてカメラ４にアクセサリが装着されていない場合及びステップＳ２において内部メモリ５９に記憶されていないパターンである等該当するアクセサリが存在しない場合には、ＣＰＵ５０は図６のフローチャートに示す処理を終了する。
【００２９】
次に、液晶カバー６装着時の処理、液晶フード３６装着時の処理及びレインカバー装着時の処理についてそれぞれ説明する。図７のフローチャートに示すように、アクセサリの種類が液晶カバー６である場合には、ＣＰＵ５０は液晶カバー蓋２８が開状態であるか、閉状態であるかを判断する（ステップＳ１１）。ここで、図８に示すように液晶カバー６がカメラ４に装着され、かつ、開状態である場合には、液晶カバー蓋接触部３０は外縁部２２に接触せず、一方、図９に示すように液晶カバー６がカメラ４に装着され、かつ、閉状態である場合には、液晶カバー蓋接触部３０が外縁部２２に接触する。即ち、閉状態である場合には液晶カバー蓋接触部３０が外縁部２２に接触したことがタッチパネル２４により検出される。従って、ＣＰＵ５０はタッチパネル２４の検出領域うち、外縁部２２の領域に液晶カバー蓋接触部３０が接触しているか否かを判断することにより、液晶カバー蓋２８が開状態であるか、閉状態であるかを判断する。
【００３０】
閉状態である場合には、ＣＰＵ５０は、表示制御部６２を制御して表示部１８における表示を停止させ、表示部１８を消灯させる（ステップＳ１２）。また、ＣＰＵ５０は、タッチパネル２４の検出領域のうち、表示部１８の領域における検出を停止させ（ステップＳ１３）、液晶カバー６装着時の処理を終了する。なお、このときＣＰＵ５０は、タッチパネル２４の検出領域のうち、外縁部２２の領域における接触の検出は継続する。一方、ステップＳ１１において開状態である場合には、ＣＰＵ５０は液晶カバー６の装着時の処理を終了する。
【００３１】
図１０のフローチャートに示すように、アクセサリの種類が液晶フード３６である場合には、ＣＰＵ５０は照度センサ２０による照度の測定を停止させる（ステップＳ２１）。次に、ＣＰＵ５０はタッチパネル２４により検出する静電容量の合成容量を変更する（ステップＳ２２）。
【００３２】
ここで、静電容量方式のタッチパネル２４は、タッチパネル２４上のガラスと使用者の指先等の接触対象物の間の静電容量を検出し、接触を検出した位置や時間を計算しながら滑らかな操作を実現する。ここで、静電容量はコンデンサ容量を示し、接触対象物がタッチパネル２４に接触したときにプラスとマイナスの電荷が引かれる。従って、接触対象物とタッチパネル２４との接触面積が広くなるほど静電容量は大きくなり、また、接触対象物とタッチパネル２４との距離が短くなるほど静電容量は大きくなる。
【００３３】
例えば、図１１に示すように、タッチパネル２４上にアクセサリ６４（図１２参照）を装着しない場合には、使用者６６の静電容量１００ｐＦと、タッチパネルと使用者６６の指の間の静電容量１０ｐＦの合成容量は９．１ｐＦであり、タッチパネルと指の静電容量が支配的となる。一方、図１２に示すように、タッチパネル２４上にアクセサリ６４を装着した場合には、タッチパネル２４及びアクセサリ６４、使用者６６の指の間の静電容量が２０ｐＦとなるため、使用者６６の静電容量１００ｐＦを考慮すると、合成容量は１６．７ｐＦとなる。従って、アクセサリを介してタッチパネル２４を用いた操作を行う場合には、ＣＰＵ５０は、合成容量を変更する必要がある。
【００３４】
また、ＣＰＵ５０は、タッチパネル２４の検出領域のうち、表示部１８の領域における検出を停止させる（ステップＳ２３）。次に、ＣＰＵ４は、液晶フード３６に液晶フードルーペ３８（図１４参照）が装着されているか否かを判断する（ステップＳ２４）。
【００３５】
ここで、図１３に示すようにカメラ４に液晶フード３６が装着され、液晶フード３６に液晶フードルーペ３８が装着されていない場合には、液晶フード３６の接続部６８に設けられた図示しない接点に液晶フードルーペ３８が接触せず、図１４に示すようにカメラ４に液晶フード３６が装着され、液晶フード３６に液晶フードルーペ３８が装着されている場合には、液晶フード３６の接続部６８に設けられた図示しない接点に液晶フードルーペ３８が接触する。即ち、液晶フード３６は、液晶フード３６と液晶フードルーペ３８との接続部に設けられた図示しない接触部により、液晶フードルーペ３８が装着されたことを検出することができる。また、ＣＰＵ５０は、液晶フード３６の液晶フードルーペ取付接触部４６を介してタッチパネル２４の検出領域のうち、外縁部２２の領域から液晶フードルーペ３８が装着されているか否かの情報を受信することができる。
【００３６】
液晶フード３６に液晶フードルーペ３８が装着されている場合には、ＣＰＵ５０は表示制御部６２を制御して表示部１８における表示領域を変更させ（ステップＳ２５）、液晶フード３６装着時の処理を終了する。即ち、ステップＳ２５においてＣＰＵ５０は、表示部１８のうち、液晶フードルーペ３８により拡大される表示領域のみを表示させ、液晶フードルーペ３８により拡大されない領域については表示を停止させる。
【００３７】
液晶フード３６に液晶フードルーペ３８が装着されていない場合には、ＣＰＵ５０は液晶フード３６装着時の処理を終了する。
【００３８】
図１５のフローチャートに示すように、アクセサリの種類がレインカバーである場合には、ＣＰＵ５０は撮影条件を変更する（ステップＳ３１）。例えば、ホワイトバランスの設定を雨天用の設定に変更する。また、カメラ４にレインカバーを装着した場合にはタッチパネル２４を用いたアイコンの選択操作等が困難となるため、ＣＰＵ５０はタッチパネル２４の検出領域のうち、表示部１８の領域における検出を停止させる（ステップＳ３２）。
【００３９】
また、ＣＰＵ５０は、表示制御部６２を制御して表示部１８の輝度を雨天時に適した輝度に変更させ（ステップＳ３３）、レインカバー装着時の処理を終了する。
【００４０】
この第１の実施の形態に係るカメラ及びカメラシステムによれば、画像の非表示領域である表示部の縁部に設けられた検出部による検出結果を有効に活用することができる。即ち、画像の非表示領域である表示部の縁部において、使用者による入力操作に限らない検出を行うことができ、アクセサリが装着された場合に、画像の非表示領域を介してアクセサリの種類を検出することができる。また、検出されたアクセサリの種類に応じて適切な撮影条件の設定、表示制御等を行うことができる。
【００４１】
なお、上述の実施の形態において、アクセサリとして液晶カバー、液晶フード及びレインカバーを例に説明したが、これらに限定されるものではなく、アクセサリの種類を示す接触部を有し、この接触部が固有のパターンを有する接触部を備えるアクセサリであればよい。このような場合には、ＣＰＵ５０はアクセサリの種類に応じた撮影制御及び表示部１８の表示制御を行うことができる。
【００４２】
例えば、アクセサリとしてカメラ４に水中ハウジングが装着された場合には、ＣＰＵ５０は、露出及びホワイトバランスの設定を水中用の設定に変更し、また、表示制御部６２を制御して表示部１８の輝度を水中での表示に適した輝度に変更させる。さらに、ＣＰＵ５０はタッチパネル２４の検出領域のうち、表示部１８の領域における検出を停止させてもよい。また、アクセサリとしてカメラ４に動画対応のシネマキットが装着された場合には、ＣＰＵ５０は、撮影条件を動画撮影に適した撮影条件に設定する。
【００４３】
また、上述の実施の形態においては、外縁部２２の領域は画像が表示されない非表示領域としたが、外縁部２２の領域を含めたタッチパネル２４全体で画像表示を行うようにしてもよい。その場合、アクセサリが接触すると画像表示の画面サイズがリサイズされるようにする。
【００４４】
また、上述の実施の形態においては、タッチパネル２４の検出領域のうち、外縁部２２の領域に接触したアクセサリの接触部のパターンに基づいて、ＣＰＵ５０はアクセサリの種類を判断する構成としたが、図１１及び図１２に示すようにアクセサリを装着した場合の合成容量に基づいて、ＣＰＵ５０はアクセサリの種類を判断する構成としてもよい。また、液晶カバー６の液晶カバー枠接触部３２と、液晶フード６の液晶フード接触部４４とにそれぞれ固有の配置パターンに基づいて、アクセサリの種類を判断する構成としたが、接触部を構成する接触部の形状パターンに基づいてアクセサリの種類を判断する構成にしてもよい。
【００４５】
上述の各実施の形態においては、表示装置としてカメラを例に説明したが、タブレットＰＣ等のＰＣや小型テレビ等のテレビであってもよい。アクセサリとして例えばタブレットＰＣや小型テレビの表示部に装着することにより３Ｄ対応の画像とすることができる３Ｄシートを用いる場合には、タッチパネルの検出領域のうち、外縁部の領域に接触した３Ｄシートの接触部のパターンに基づいて、表示装置のＣＰＵは３Ｄシートが装着されていることを検出する。そして、ＣＰＵは表示制御部を制御して３Ｄシートに適した表示を行わせてもよいし、タッチパネルにより検出する静電容量の合成容量を変更する処理を行ってもよい。
【００４６】
次に、本発明の第２の実施の形態に係る表示装置についてカメラを例に説明する。なお、この第２の実施の形態におけるカメラ７０は、第１の実施の形態のカメラ２の表示部１８をバリアングル方式としたものである。従って、第１の実施の形態と同一の構成についての詳細な説明は省略し、異なる部分のみについて詳細に説明する。また、第１の実施の形態と同一の構成には同一の符号を付して説明する。
【００４７】
図１６は第２の実施の形態に係るカメラを背面側から視た外観図である。図１６に示すように、カメラ７０の前面には、撮影レンズ１０が設けられ、カメラ７０の上部には、レリーズ動作を指示するレリーズボタン１２が設けられている。また、カメラ７０の背面には、被写体を観察するファインダ１４、操作部１６、照度センサ２０、可動部７２、導電性を有するゴムからなる可動部接点７４が設けられている。
【００４８】
可動部７２は、バリアングル軸７６を介してカメラ７０の背面に対して開閉可能に設けられている。また、可動部７２には、表示部１８、表示部１８の外縁の画像の非表示領域である外縁部２２が設けられ、表示部１８及び外縁部２２には静電容量方式のタッチパネル２４が配置されている。また、可動部接点７４は、図１７に示すように可動部７２の表示部１８がカメラ７０の背面に向いた状態で閉じられた場合に、タッチパネル２４の検出領域のうち、外縁部２２の領域に接触するように設けられている。
【００４９】
次に、図１８に示すフローチャートを参照して第２の実施の形態に係るカメラの処理について説明する。図示しない電源スイッチが操作されカメラ２の電源がオンにされると、ＣＰＵ５０は、表示制御部６２を制御して表示部１８における表示を開始させ、タッチパネル２４による接触の検出を開始させ、照度センサ２０による照度の測定を開始させる。
【００５０】
次に、ＣＰＵ５０はカメラ７０の可動部７２が、図１６に示すように開いた状態であるか、図１７に示すように閉じられた状態でいるかを判断する（ステップＳ４１）。即ち、ＣＰＵ５０はタッチパネル２４の検出領域うち、外縁部２２の領域に可動部接点７４が接触しているか否かを判断し、接触している場合には閉じられた状態であると判断する。
【００５１】
閉じられた状態である場合には、ＣＰＵ５０は、表示制御部６２を制御して表示部１８における表示を停止させ、表示部１８を消灯させる（ステップＳ４２）。また、ＣＰＵ５０は、タッチパネル２４の検出領域のうち、表示部１８の領域における検出を停止させる（ステップＳ４３）。また、ＣＰＵ５０は照度センサ２０による照度の測定を停止させる（ステップＳ４４）。
【００５２】
次に、ＣＰＵ５０は電源がオンであるか否かを判断し（ステップ４５）、オンである場合にはステップＳ４１に示す処理に戻り、オフである場合には処理を終了する。また、ステップＳ４１において可動部７２が、開いた状態である場合にもステップＳ４５に示す処理を行い、オンである場合にはステップＳ４１に示す処理に戻り、オフである場合には処理を終了する。
【００５３】
この第２の実施の形態に係るカメラによれば、画像の非表示領域である表示部の縁部に設けられた検出部による検出結果を有効に活用することができる。即ち、画像の非表示領域である表示部の縁部において、使用者による入力操作に限らない検出を行うことができ、バリアングル方式の表示部が閉じられているか否かを、表示部の縁部に配置されたタッチパネルを用いて検出することできる。
【００５４】
なお、この第２の実施の形態においては、表示装置としてカメラを例に説明したが、タブレットＰＣ等であってもよい。例えば、タブレットＰＣが表示部１８及び外縁部２２に配置されたタッチパネル２４を備え、かつ、表示部１８及び外縁部２２を覆うカバーを備える場合に、カバーに配置した接触部が外縁部２２に接触したことを検出してもよい。即ち、カバーが閉じられたことをタッチパネル２４の検出領域のうち、外縁部２２の領域において検出することができる。この場合に、表示部１８における表示を停止する等、検出結果に応じた表示制御を行ってもよい。
【符号の説明】
【００５５】
２…カメラシステム、４…カメラ、６…液晶カバー、１８…表示部、２２…外縁部、２４…タッチパネル、３６…液晶フード、５０…ＣＰＵ、５２…撮像素子、５４…撮影制御部、６２…表示制御部
【図１】
2013120997.tif 000003
【図２】
2013120997.tif 000004
【図３】
2013120997.tif 000005
【図４】
2013120997.tif 000006
【図５】
2013120997.tif 000007
【図６】
2013120997.tif 000008
【図７】
2013120997.tif 000009
【図８】
2013120997.tif 000010
【図９】
2013120997.tif 000011
【図１０】
2013120997.tif 000012
【図１１】
2013120997.tif 000013
【図１２】
2013120997.tif 000014
【図１３】
2013120997.tif 000015
【図１４】
2013120997.tif 000016
【図１５】
2013120997.tif 000017
【図１６】
2013120997.tif 000018
【図１７】
2013120997.tif 000019
【図１８】
2013120997.tif 000020